(57)【要約】【課題】  下面の前後方向へ延びるラックにギアが噛合ってスライドして出入りするトレイを備えたディスク装置であって、ギアがラックから外れることなく、スムーズなスライドにて出し入れ可能なトレイを備えたディスク装置の提供。【解決手段】  ラック１４に沿ってカム壁１７とギアの逃げ防止壁１８を沿設し、後方側にはカム壁１７に傾斜部２１にてギアの逃げ防止壁１８に繋がるガイド溝１６を設けている。正面側には横ガイド溝２３と該横ガイド溝２３を繋ぐコーナー壁２４及びコーナー逃げ防止壁２５を設け、カムロッド１９には第１ボス２０と第２ボス２２を突出すると共に、上記カム壁１７とギアの逃げ防止壁１８を両ボス２０，２２にて挟み込み、ギア１５とギアの逃げ防止壁１８との間には僅かな隙間を設けている。【選択図】    図２
2006079690.tif 000002
【特許請求の範囲】
【請求項１】
下面の前後方向へ延びるラックにギアが噛合ってスライドすることで出入りするトレイを備えたディスク装置において、該ラックに沿ってカム壁とギアの逃げ防止壁を間に隙間を残して互いに平行に沿設し、後方側にはカム壁に形成した傾斜部を介してギアの逃げ防止壁に連結したガイド溝を設け、正面側には横ガイド溝と該横ガイド溝を繋ぐコーナー壁及びコーナー逃げ防止壁を設け、カムロッドには第１ボスと第２ボスを突出すると共に、上記カム壁とギアの逃げ防止壁を両ボスにて挟み込んだことを特徴とするトレイを備えたディスク装置。
【請求項２】
上記ギアとギアの逃げ防止壁との間には歯丈以下の隙間を設けた請求項１記載のトレイを備えたディスク装置。
【請求項３】
上記第１ボスを円形断面とし、第２ボスを概略長円形断面とした請求項１、又は請求項２記載のトレイを備えたディスク装置。
【発明の詳細な説明】
【技術分野】
【０００１】
本発明はディスクをセットするトレイであって、該トレイに設けたラックに噛合うギアが外れないように、トレイのスムーズなスライドを可能としたディスク装置に関するものである。
【背景技術】
【０００２】
一般的なディスク装置にはトレイが備わっていて、該トレイにディスクがセットされて出し入れすることが出来る。すなわち、突出したトレイにディスクをセットして装置内部へ搬入し、トラバースユニットのターンテーブル上に載置され、逆にターンテーブルに載置されていたディスクはトレイに載せ替えられて搬出される。
【０００３】
図６は従来のディスク装置を示している平面図であり、トレイ１が搬出されてディスク交換位置にある状態を示している。トレイ１の上面には円形の浅い凹部が形成されていて、該凹部にディスクが嵌ってセットされる。又下面側にはラック２が前後方向に設けられ、該ラック２に沿って概略Ｌ型のガイド溝３を設けている。そしてラック２にはギア４が噛み合い、ガイド溝３にはカムロッドボス５が遊嵌している。
【０００４】
上記のギア４はモータ６にて回転駆動され、該ギア４が回転することでラック２及びトレイ１は後退して装置内へ搬入される。該トレイ１は定められた距離を前進、後退動することで開閉することになるが、概略Ｌ型のガイド溝３はラック２と平行を成す縦ガイド溝７とラック２に対して垂直を成す横ガイド溝８、及び縦ガイド溝７と横ガイド溝８の間に形成されるコーナーガイド溝９から成っている。又、縦ガイド溝７の後方端部は湾曲して延びている。
【０００５】
従って、トレイ１が搬出されてディスク交換位置へ移動する為に前進する場合、縦ガイド溝７に遊嵌しているカムロッドボス５が湾曲部に差し掛かることでカムロッド１０の動きを検出して該トレイ１は停止する。又トレイ１が搬入されてディスク再生位置へ移動する為に後退する場合、縦ガイド溝７に遊嵌しているカムロッドボス５がコーナーガイド溝９に差し掛かることで、同じくカムロッド１０が移動してトレイ１は停止する。すなわち、ガイド溝３に沿ってカムロッドボス５が動くことで、本体と成るカムロッド１０が移動し、この動きを検出することでトレイ１が停止するように成っている。
【０００６】
トレイには上記ガイド溝が設けられ、該ガイド溝にカムロッドボス５が遊嵌した構造と成っているが、ガイド溝ではなく前後方向へ延びる連続した壁を２個のロッドで挟み込んだディスク装置も知られている。特開２００３−１００００４号に係る「トレイを出没可能に具えたディスク記録又は再生装置」は、「スライド体の不用意な横方向の移動を防ぐ位置決め機構であり、トレイの下面に設けられ前後に延びた第１壁と、該第１壁に連続して第１壁に直交する向きに延びた第２壁を有する突壁と、スライド体上に設けられて、トレイの前進完了状態で第２壁を、トレイの前進又は後退状態で第１壁を挟む少なくとも２つの突起を有している。」
このように、第１壁を２つの突起で挟み込む構造の方が、ガイド溝にカムロッドボス５を遊嵌する場合と比較して、カムロッドの位置決め機構の構成部品の占める面積は小さくなる。又、２個の突起(ボス)を設けることで強度が高くなり、衝撃が作用しても突起が破損することはない。そして、壁は従来のガイド溝と同じくＬ型を成し、後方部には湾曲壁が形成されている。
【０００７】
ところで、トレイはギアがラックに噛合って回転することでスライドすることが出来、同時にＬ型壁を挟み込んだ２個の突起を有すカムロッドは左右方向へ移動してトレイを停止すると共にトラバースユニットを昇降動することが出来る。この場合、外部からの衝撃によりギアとラックの噛合いが外れてしまい、トレイの出し入れが出来ないといった問題が発生する。又、ギアの歯先が噛合った状態で駆動するならば、歯先が欠けて破損するケースが多い。このような問題は、特開２００３−１００００４号に係るディスク装置の場合に限らず、前記図６に示すディスク装置も同じである。
【０００８】
一方、特開２００３−１００００４号に係るディスク装置のように、２個の突起でガイドとなる壁を挟み込む場合、壁との接触摩擦は大きくなり、該摩擦抵抗に基づくモーメントが発生し、トレイのスライド向きを変えようとする。従って、トレイはガイドされてスライドするが、スムーズなスライドが保証され難くなる。さらに、細いＬ型壁ではトレイの補強リブとしての役目は従来のＬ型ガイド溝を設けた場合に比較して低下してしまう。
【特許文献１】特開２００３−１００００４号に係る「トレイを出没可能に具えたディスク記録又は再生装置」
【発明の開示】
【発明が解決しようとする課題】
【０００９】
このように、従来のトレイには上記のごとき問題がある。本発明が解決しようとする課題はこの問題点であり、ラックとギアの噛合いが外れることなく、トレイが安定してスムーズな出し入れを行うことが出来ると共に、トレイ強度が低下しないディスク装置を提供する。
【課題を解決するための手段】
【００１０】
本発明に係るディスク装置のトレイはラックを前後方向に延ばし、該ラックと一定間隔をおいてカム壁を沿設している。カム壁は後方部にて湾曲し、前方部では垂直に屈曲し、全体としての形状は従来通りＬ型を成している。又、上記カム壁と僅かな隙間を残してギアの逃げ防止壁を沿設している。そして、カムロッドには２個のボスが突出し、この２個のボスにてカム壁とギアの逃げ防止壁を挟み込む構造とし、後方部にはボスが遊嵌するガイド溝を、正面側には横ガイド溝を設けている。
【００１１】
そして、ラックにはギアが噛合ってモーターにて回転駆動されるが、ラックと噛合った状態でのギアと上記ギアの逃げ防止壁との間は、僅かな隙間が介在するだけとし、ギアが逃げようとすれば該ギアの逃げ防止壁に当たるように成っている。すなわち、ギアの歯丈以下の隙間と成っている。
【発明の効果】
【００１２】
本発明はカム壁とギアの逃げ防止壁を２個のカムロッドボス(第１ボスと第２ボス)にて挟み込んだ構造であり、カムロッドの位置決めを正しく行うことが出来、しかもカム壁とギアの逃げ防止壁は補強リブとしても機能するために、トレイの強度を低下させることなく小さいスペースでカムロッドの位置決めが可能と成る。そして、ギアの逃げ防止壁をラックに平行して設けている為に、ギアがラックから逃げようとしても該逃げ防止壁に当たる為に、これを防止できる。
【００１３】
従って、ギアの歯先がラックと噛合うことはなく、常に安定した噛合いを維持でき、ギアの歯先の損傷防止を図ることが出来る。一方、カム壁及びギアの逃げ防止壁はラックとの距離が小さく成り、２個のボスで挟み込むことでスライドに伴う摩擦抵抗が幾分大きく成っても発生するモーメントは小さく、トレイのスライド向きを変えるほどの影響はなく、トレイのスムーズな出し入れスライド動作が保証される。
【実施例】
【００１４】
図１は本発明に係るトレイを備えたディスク装置の平面図を示している。同図の１１はトレイ、１２は本体、１３はトラバースユニットを示し、同図のトレイ１１は本体１２から搬出されてディスク交換位置にある状態を示している。トレイ１１の上面にはディスクがセットされる円形凹部が形成され、モーターにて回転駆動されるギアがラックに噛合ってスライドすることが出来る。
【００１５】
ところで、搬出されているトレイ１１の円形凹部にディスクをセットし、トレイ１１が本体内へ搬入された場合、上記トラバースユニット１３が上昇してターンテーブル上にディスクが載置される。このトラバースユニットの上昇はカムロッドの左右方向への移動によって行われ、しかもカムロッドの移動はトレイのスライド動作に連動して行われる。
【００１６】
図２はトレイ１１がディスク交換位置へ搬出されている場合の透視平面図を表している。同図において、１４はラック、１５はギア、１６はガイド溝、１７はカム壁、１８はギアの逃げ防止壁、１９はカムロッドを各々表している。トレイ１１が搬出されているディスク交換位置では、カムロッド１９から突出した第１ボス２０がガイド溝１６に遊嵌し、カムロッド１９は左側端に位置している。このカムロッド１９の位置によって、上記トラバースユニット１３は降下している。
【００１７】
そして、トレイ１１を手で少し押すならば、該トレイ１１は後退してギア１５はラック１４に噛合う。この時、第１ボス２０はガイド溝１６から離脱し、ガイド溝出口に形成したカム壁１７の傾斜部２１に当たって、第１ボス２０及びカムロッド１９は右方向へ移動し、モーターのスイッチがＯＮされる。同時に、カムロッド１９から突出する第２ボス２２がギアの逃げ防止壁１８に近接する。そして、ラック１４に噛合ったギア１５がモーターにて回転駆動されることでトレイ１１はスライド後退し、第１ボス２０はカム壁１７に沿って移動し、同時に第２ボス２２はギアの逃げ防止壁１８に近接した状態で移動する。
【００１８】
すなわち、第１ボス２０と第２ボス２２とでカム壁１７とギアの逃げ防止壁１８を挟み込む状態となって、カムロッド１９は正しく位置決めされる。図３はトレイ１１の移動行程中の約２／３だけ後退した場合であり、ギア１５はモーターにて回転駆動されることで、噛合っているラック１４及びトレイ１１が後退する。ここで、トレイ１１に設けているギアの逃げ防止壁１８はギア１５に接することなくスライドすることが出来る。
【００１９】
図４は図３のＡ部拡大図を示している。ギア１５はラック１４と噛合っていて、ギアの逃げ防止壁１８との間には僅かな隙間Ｍが残されている。この隙間Ｍの大きさは特に限定しないが、ギア１５が後退して(右側へ逃げて)ギアの逃げ防止壁１８に当接した場合に、ラック１４との噛合い状態が保たれる隙間Ｍであることが必要である。しかし、歯先が僅かに噛合っただけでは該歯先が損傷してしまう可能性が高い為に、約１／３の噛合い状態を維持することが好ましい。そこで隙間Ｍはギア１５の歯丈の約２／３以下とされる。
【００２０】
図５はトレイ１１が搬入された状態を示している。上記カム壁１７及びギアの逃げ防止壁１８は正面側にてＬ型に屈曲して横ガイド溝２３を有し、間にはコーナー壁２４とコーナー逃げ防止壁２５が傾斜して設けられている。前記図３の状態から、トレイ１１が後退スライドする場合、第１ボス２０はカム壁１７に拘束され、及び第２ボス２２はギア逃げ防止壁１８に拘束されて定位置に静止している。
【００２１】
そして、コーナー壁２４に差し掛かった第１ボス２０は、該コーナー壁２４に沿って右方向へ移動する。同じく、第２ボス２２はコーナー逃げ防止壁２５に沿って右方向へ移動し、ひいてはカムロッド１９が右方向へ移動する。その結果、カムロッド１９に設けているラック２６にギア１５が噛合い、該ギア１５の回転によってラック２６及びカムロッド１９がさらに右方向へ移動して第１ボス２０は横ガイド溝２３の先端底部に位置することになる。
【００２２】
カムロッド１９が右側端へ移動した位置は、トラバースユニット１３が上昇した位置となる。本発明では、トレイ１１の片側にラック１４を設け、該ラック１４とギア１５の外径に相当する間隔をおいてカム壁１７とギアの逃げ防止壁１８を沿設している。トレイ１１はその両側がガイドされて直線上でスライドすることが出来、この際に第１ボス２０及び第２ボス２２がカム壁１７とギアの逃げ防止壁１８に接触する。
【００２３】
その結果、前記図６のようなガイド溝３にボスを遊嵌した構造においては、接触摩擦は大きくなり、該接触摩擦に基づいてトレイ１がスライドする向きを変えようとするモーメントを発生するが、本発明ではラック１４とカム壁１７及びギアの逃げ防止壁１８までの間隔を必要最小限に抑えた構造と成っている為に、発生するモーメントは小さく、トレイ１１のスライドを常にスムーズに行うことが出来る。
【図面の簡単な説明】
【００２４】
【図１】トレイが搬出状態にあるディスク装置の平面図。
【図２】搬出状態にあるトレイの透視平面図。
【図３】中間行程にあるトレイの透視平面図。
【図４】図３のＡ部拡大図。
【図５】収納状態にあるトレイの透視平面図。
【図６】従来のＬ型ガイド溝のトレイを備えたディスク装置。
【符号の説明】
【００２５】
11  トレイ
12  本体
13  トラバースユニット
14  ラック
15  ギア
16  ガイド溝
17  カム壁
18  ギアの逃げ防止壁
19  カムロッド
20  第１ボス
21  傾斜部
22  第２ボス
23  横ガイド溝
24  コーナー壁
25  コーナー逃げ防止壁
26  ラック
【図１】
2006079690.tif 000003
【図２】
2006079690.tif 000004
【図３】
2006079690.tif 000005
【図４】
2006079690.tif 000006
【図５】
2006079690.tif 000007
【図６】
2006079690.tif 000008